(57)【要約】【課題】  従来のエスカレーターの保護体は、単純形状で、かつ透明な板体や筒体の組合せであったためにそれの存在が認識しにくく人体衝突等の事故が発生しやすい問題と、板体が割れ（破損）やすい上に、筒体が離脱して落下する等の接合強度上の問題があった。【解決手段】  ハンドレール１Ｂの外縁との間に水平間隔ｍを有して近接する建屋天井等の固定体２とで形成される楔状空間Ｑに、略三角状の、板厚数ミリメートルの板体３Ｃを主部材としたと保護体３を備えたものにおいて、前記板体３Ｃの材質をポリエチレンテレフタレート樹脂材の透明板とする一方、その板体３Ｃの全高に沿って前縁部３ＣＣを挟んで被う筒体３Ｄを設け、かつその板体３Ｃと筒体３Ｄ相互の上端部３Ａと３ＤＤを連結する形状の金属製の連結具３Ｆと板体３Ｃおよび筒体３Ｄをそれぞれ固定するビス３ａ、３ｂ等により構成したエスカレーターの保護体３とした。【選択図】図３
2014141346.tif 000002
【特許請求の範囲】
【請求項１】
水平路と傾斜路を無端状に連結されて移動するステップと、このステップの手すりとなるハンドレールと、このハンドレールの案内路を形成する欄干と、ハンドレールの外縁との間に水平間隔を有して近接する建屋天井等の固定体とで形成される楔状空間に、略三角状の板厚数ミリメートルの板体を主部材とした保護体を備えたものにおいて、前記板体の材質をポリエチレンテレフタレート樹脂材の透明板とする一方、その板体の全高に沿って前縁部を挟んで被う筒体を設け、かつその板体と筒体相互の上端部を連結する形状の金属製の連結具と、その連結具と板体および筒体をそれぞれ固定するビス等により構成としたことを特徴とするエスカレーターの保護体。
【発明の詳細な説明】
【技術分野】
【０００１】  本発明は、動く歩道を含めた人員輸送設備であるエスカレーターのハンドレールと建屋天井等の固定障害物とで形成される楔状空間において乗客（特に頭部）を保護するに好適なエスカレーターの保護体に関する。
【背景技術】
【０００２】  本技術分野の背景技術として、特開２００９−１９０８９３号公報（特許文献１）がある。この公報には「垂直辺とでＬ字形をなす閉塞辺を有する一体物の保護体」とした旨記載されている。
【先行技術文献】
【特許文献】
【０００３】
【特許文献１】特開２００９−１９０８９３号公報
【発明の概要】
【発明が解決しようとする課題】
【０００４】  上記文献１に開示された保護体は、エスカレーター両側の欄干上端部に設けられ、上昇方向に移動するハンドレールとこのハンドレールの外縁より外に近接する建屋天井等の固定障害物で形成される楔状空間に、一般にアクリル樹脂材の板体と筒体を組み合わせた「三角ガード板」と通称される保護体を設けることによって、乗客の上半身がハンドレールを超えて外に身を乗り出したり、欄干外側の低い位置まで頭部を下げて乗った時に起きる挟まれや衝突事故を防止するべく提案しているが、その発明主体である閉塞辺がもたらす効果以前の問題として、
１）従来の構成は、板体と筒体が同じ透明度の高い材質（一般には、両者ともアクリル樹脂材）を使用した保護体であるため、その存在に気づかない状態での頭部の衝突や保護体の破損という問題があった。
２）また、従来の板体は、一般に割れやすい材質であるアクリル樹脂材が用いられ、これが破損して落下した時にエスカレーター周辺の通行人に危害が及ぶという素材自体の強度上の問題があった。
３）さらに、保護体構成部品の接合強度上の問題として、板体に対して重量がかさむ筒体を接合するのに接着剤に頼っているが、構造上接着面積が小さいために接合強度が不足して筒体が離脱して落下し、事故に至る問題があった。
等々の危険要素があり、乗客が衝突する前に保護体の存在を知らしめる安全面での事前対策、板体自身および接合部強度面などの問題解決が望まれていた。【０００５】  本発明は、かかる問題を解消するためになされたものであり、危険部位であることを事前に訴求する安全面の効果と、対破損および接合強度にすぐれたエスカレーターの保護体を提供することを目的になされたものである。
【課題を解決するための手段】
【０００６】  本発明は、上記目的を達成するために、水平路と傾斜路を無端状に連結されて移動するステップと、このステップの手すりとなるハンドレールと、このハンドレールの案内路を形成する欄干と、ハンドレールの外縁との間に水平間隔を有して近接する建屋天井等の固定体とで形成される楔状空間に、略三角状の板厚数ミリメートルの板体を主部材とした保護体を備えたものにおいて、前記板体の材質をポリエチレンテレフタレート樹脂材の透明板とする一方、その板体の全高に沿って前縁部を挟んで被う筒体を設け、かつその板体と筒体相互の上端部を連結する形状の金属製の連結具と、その連結具と板体および筒体をそれぞれ固定するビス等により構成としたことを特徴とするエスカレーターの保護体としたのである。
【発明の効果】
【０００７】  上記の構成によれば、従来共通的に透明な板体と筒体であったためにその存在が見逃されがちだった保護体が不透明な金属製の連結具やビスによって存在が強調できて、これに接近する乗客に対して危険性を注意喚起する安全効果を発揮するものである。また、板体の材質が従来のアクリル樹脂材に比べて、板を直角に折り曲げても割れない強度があるポリエチレンテレフタレート樹脂（通称、ＰＥＴ）製とした材質的特性によって無破損性能が発揮される。さらに、筒体の上端部が金属製のビスにより同じく金属製の連結具に固定され、かつこの連結具が板体の上端部ともビスで固定される形の接着に頼らない構造としてあるために、板体と前縁体の接合強度はより確実なものとなり、従来構造における破損や落下事故の防止に寄与するものである。
【図面の簡単な説明】
【０００８】
【図１】本発明の実施形態を示す要部の側面図である。
【図２】図１のＡ−Ａ線に沿う断面図である。
【図３】本発明の実施形態を示す部分斜視図である。
【図４】図３のＢ−Ｂ線に沿う断面図である。
【図５】図３のＣ−Ｃ線に沿う断面図である。
【発明を実施するための形態】
【０００９】  以下、本発明になる保護体の一実施形態を図１〜図５を用いて説明する。
【実施例】
【００１０】  図において、エスカレーター１は乗降口がある水平路から傾斜路を無端状に連結されて移動する多数のステップ１Ａと、このステップ１Ａの手すりとなるハンドレール１Ｂと、このハンドレール１Ｂの案内路を形成する欄干パネル１Ｃ、欄干デッキ１Ｄ等からなる欄干１Ｅを備えている。そして、ハンドレール１Ｂの外縁との間に水平間隔ｍを空けて位置し、ハンドレール１Ｂとは傾斜角度が異なる建屋天井等の固定体２とで形成される楔状空間Ｑには、その上端部３Ａが固定体２に対して金具４を介してビス５で固定される保護体３が設けられている。また、保護体３は、その下端部３Ｂがハンドレール１Ｂの上面よりも下側への３００ｍｍ程度の重なりｎを有する略三角状で板厚ｔが３〜５ミリメートルの板体３Ｃと、その前縁部３ＣＣの全高の両側面に、略Ｃ字形の開口部に前縁部３ＣＣを嵌入して設けるようにした板厚が３〜５ミリメートルで直径が５センチメートルほどの筒体３Ｄを組合わせた一体構造品として構成されている。【００１１】  一方、板体３Ｃは最近市場に出て強靭な樹脂板材と評価さている透明なポリエチレンテレフタレート樹脂（通称、ＰＥＴ）製で、その前縁部３ＣＣの全高の両側面に嵌入された密着部に接着（図５に示す符号Ｓ部分）して筒体３Ｄが設けられ、これら板体３Ｃおよび筒体３Ｄが一体構造品となっている。また、板体３Ｃの上端部３Ａの全長を被う形状の逆Ｕ字形で金属製の補強金具３Ｅが嵌め込まれている。さらに、筒体３Ｄの上端部３ＤＤには、その外周を被う円周部３ｄ、蓋部３ｄｄ、２片の連結部３ｄｄｄからなる金属製の連結具３Ｆが設けられ、これと筒体３Ｄとはビス３ａで、これと板体３Ｃおよび補強金具３Ｅとはビス３ｂで各々固定的に締結されている。この場合、板体３Ｃと筒体３Ｄの接合は、従来と同様に接着も施しているが、ビス３ａで連結具３Ｆに固定され、最終的に板体３Ｃおよび補強金具３Ｅにビス３ｂによって連結固定されるので筒体３Ｄの板体３Ｃからの離脱による落下がなく、従来危惧された安全上の問題は解消される。ここで、各構成部材について詳述すれば、主部材である板体３Ｃは発明者らの各種実験により、ポリエチレンテレフタレート樹脂材を指定するが、その理由は、この材料の破壊強度の基本特性である「アイゾット衝撃強さ（単位：ＫＪ／ｍ２）＝８，７」であり、従来のアクリル樹脂の同数値「１，８」に対して４，８倍もあって破損とそれにともなう落下事故が発生しないと見込んで選定している。そして、筒体３Ｄは破損の恐れがほとんどないため、従来のアクリル樹脂材などでも問題はなく、本発明によって保護体３の構成部品に加えた不透明な金属材である連結具３Ｆ、ビス３ａおよびビス３ｂが透明な板体３Ｃおよび筒体３Ｄとの違い（異物感）を強調して保護体３の存在を認知させる。なお、保護体３の前方には従来と同様、揺動自在な保護体６を備えている。【００１２】  要するに、本発明の保護体３は主部材である板体３Ｃをポリエチレンテレフタレート樹脂材としたうえで、連結具３Ｆと、ビス３ａ等が付属した状態で固定体２に固定されて全体としてエスカレーター１を構成しており、
ａ）透明材に対して不透明材を追加したことによる異物感、違和感により保護体３の存在を認知させ、これで警告となして安全性の向上に寄与できる。
ｂ）主部材の板体３Ｃは指定樹脂材の適用により、破損問題を解消できる。
ｃ）従来のような接着接合だけではなく、金属材接合も追加しているので落下問題を解消できる。【００１３】  なお、保護体３は板体３Ｃと筒体３Ｄはそれぞれ透明度が異なる材料を用いてもよく、連結具３Ｆおよび補強金具３Ｅは、その存在がより目立ち易いステンレス鋼材の鏡面仕上げ材が適している。
【産業上の利用可能性】
【００１４】  以上説明したように上記実施形態によれば、動く歩道を含む各種エスカレーターに対応可能な保護体を提供することができ、安全面、強度面にすぐれたエスカレーターの保護体を提供することができる。
【符号の説明】
【００１５】１  エスカレーター
１Ａ  ステップ
１Ｂ  ハンドレール
１Ｅ  欄干
２  固定体
３  保護体
３Ｃ  板体
３Ｄ  筒体
３Ｅ  補強金具
３Ｆ  連結具
３ａ、３ｂ  ビス
Ｑ  楔状空間
ｍ  水平間隔
【図１】
2014141346.tif 000003
【図２】
2014141346.tif 000004
【図３】
2014141346.tif 000005
【図４】
2014141346.tif 000006
【図５】
2014141346.tif 000007